【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
ユーザー端末から店舗に対する注文情報を受け付け、受け付けた注文情報を店舗端末に提供する注文情報受付装置と、当該注文情報に係るクレジットカード決済を処理するクレジットカード決済装置とを含むクレジットカード情報処理システムであって、
前記注文情報受付装置は、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段と、を含み、
前記クレジットカード決済装置は、
前記店舗端末から前記ダミーデータに基づくクレジットカード決済要求を受け付ける受付手段と、
前記注文情報受付装置と共有したクレジットカードの実データとダミーデータとを互いに変換する変換情報に従って、前記受け付けたダミーデータに対応する実データを取得する実データ取得手段と、
前記実データ取得手段により取得した実データに基づいて、前記受け付けたクレジットカード決済要求を処理する処理手段と、を含む
ことを特徴とするクレジットカード情報処理システム。
【請求項２】
前記注文情報受付装置は、前記ユーザー端末から受け付けた注文情報の決済に用いるクレジットカードの実データを前記クレジットカード決済装置に送信する実データ送信手段をさらに含み、
前記クレジットカード決済装置は、前記実データ送信手段により送信されたクレジットカードの実データと、対応するダミーデータとを関連付けた前記変換情報を生成する生成手段をさらに含み、
前記注文情報受付装置は、前記生成手段により生成された前記変換情報を取得する変換情報取得手段をさらに含む
ことを特徴とする請求項１に記載のクレジットカード情報処理システム。
【請求項３】
前記注文情報受付装置は、
前記クレジットカード決済装置により発行されたダミーデータの候補を取得する候補取得手段と、
前記ユーザー端末から受け付けた注文情報の決済に用いるクレジットカードの実データに対応するダミーデータを前記候補取得手段により取得したダミーデータの候補の中から選択し、当該クレジットカードの実データと、当該選択したダミーデータとを関連付けた前記変換情報を生成する生成手段と、をさらに含み、
前記クレジットカード決済装置は、前記生成手段により生成された前記変換情報を取得する変換情報取得手段をさらに含む
ことを特徴とする請求項１に記載のクレジットカード情報処理システム。
【請求項４】
前記注文情報受付装置は、前記候補取得手段により取得したダミーデータの候補のうち、実データと未だ対応していない候補の数が閾値以下又は未満である場合に、ダミーデータの新たな候補の発行を前記クレジットカード決済装置に要求する要求手段をさらに含み、
前記候補取得手段は、前記要求手段による要求に応じて前記クレジットカード決済装置により発行されたダミーデータの新たな候補を取得する
ことを特徴とする請求項３に記載のクレジットカード情報処理システム。
【請求項５】
前記要求手段は、前記ユーザー端末から注文情報を受け付けたときに、ダミーデータの新たな候補の発行を要求する
ことを特徴とする請求項４に記載のクレジットカード情報処理システム。
【請求項６】
前記注文情報受付装置と前記クレジットカード決済装置の少なくとも一方が、
前記ダミーデータ取得手段により取得したダミーデータの使用回数、有効期限、前記注文情報に係る決済金額、累積の決済金額の少なくともいずれかに基づいて、当該ダミーデータの不正利用の可能性を評価した結果に基づいて、当該ダミーデータを無効とするか否かを判定する第１判定手段と、
前記第１判定手段により前記ダミーデータ取得手段により取得したダミーデータが無効と判定された場合に、前記注文情報の決済に用いるクレジットカードの実データに対応するダミーデータを新たなダミーデータに更新する更新手段と、をさらに含む
ことを特徴とする請求項１乃至５のいずれかに記載のクレジットカード情報処理システム。
【請求項７】
前記注文情報受付装置と前記クレジットカード決済装置の少なくとも一方が、
前記ダミーデータ取得手段により取得したダミーデータの有効期限、利用限度額の少なくともいずれかに基づいて、当該ダミーデータが漏洩した場合の損失の可能性を評価した結果に基づいて、当該ダミーデータを無効とするか否かを判定する第２判定手段と、
前記第２判定手段により前記ダミーデータ取得手段により取得したクレジットカードのダミーデータが無効と判定された場合に、前記注文情報の決済に用いるクレジットカードの実データに対応するダミーデータを新たなダミーデータに更新する手段と、をさらに含む
ことを特徴とする請求項１乃至６のいずれかに記載のクレジットカード情報処理システム。
【請求項８】
ユーザー端末から店舗に対する注文情報を受け付け、受け付けた注文情報を店舗端末に提供し、当該注文情報に係るクレジットカード決済を処理するクレジットカード情報処理方法であって、
前記ユーザー端末から受け付けた注文情報に基づいて取得した該注文情報の決済に用いるユーザーのクレジットカードの実データに基づいて、該実データに対応するダミーデータを取得するダミーデータ取得ステップと、
前記ダミーデータ取得ステップで取得したダミーデータを前記注文情報の決済に用いるクレジットカードのデータとして、当該注文情報を処理する店舗端末に送信する送信ステップと、
前記店舗端末から前記ダミーデータに基づくクレジットカード決済要求を受け付ける受付ステップと、
前記注文情報受付装置と共有したクレジットカードの実データとダミーデータとを互いに変換する変換情報に従って、前記受け付けたダミーデータに対応する実データを取得する実データ取得ステップと、
前記実データ取得ステップで取得した実データに基づいて、前記受け付けたクレジットカード決済要求を処理する処理ステップと、を含む
ことを特徴とするクレジットカード情報処理方法。
【請求項９】
ユーザー端末から店舗に対する注文情報を受け付け、受け付けた注文情報を店舗端末に提供する注文情報受付装置であって、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段と、を含む
ことを特徴とする注文情報受付装置。
【請求項１０】
ユーザー端末から店舗に対する注文情報を受け付け、受け付けた注文情報を店舗端末に提供するコンピュータを、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段
として機能させるためのプログラム。
【請求項１１】
ユーザー端末から店舗に対する注文情報を受け付け、受け付けた注文情報を店舗端末に提供するコンピュータを、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段
として機能させるためのプログラムを記録した情報記録媒体。
【請求項１２】
ユーザー端末から店舗に対する注文情報を受け付け、受け付けた注文情報を店舗端末に提供する注文情報受付装置であって、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段と、を含む注文情報受付装置で受け付けた前記注文情報に係るクレジットカード決済を処理するクレジットカード決済装置であって、
前記店舗端末から前記ダミーデータに基づくクレジットカード決済要求を受け付ける受付手段と、
前記注文情報受付装置と共有したクレジットカードの実データとダミーデータとを互いに変換する変換情報に従って、前記受け付けたダミーデータに対応する実データを取得する実データ取得手段と、
前記実データ取得手段により取得した実データに基づいて、前記受け付けたクレジットカード決済要求を処理する処理手段と、を含む
ことを特徴とするクレジットカード決済装置。
【請求項１３】
ユーザー端末から店舗に対する注文情報を受け付け、受け付けた注文情報を店舗端末に提供する注文情報受付装置であって、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段と、を含む注文情報受付装置で受け付けた前記注文情報に係るクレジットカード決済を処理するコンピュータを、
前記店舗端末から前記ダミーデータに基づくクレジットカード決済要求を受け付ける受付手段と、
前記注文情報受付装置と共有したクレジットカードの実データとダミーデータとを互いに変換する変換情報に従って、前記受け付けたダミーデータに対応する実データを取得する実データ取得手段と、
前記実データ取得手段により取得した実データに基づいて、前記受け付けたクレジットカード決済要求を処理する処理手段
として機能させるためのプログラム。
【請求項１４】
ユーザー端末から店舗に対する注文情報を受け付け、受け付けた注文情報を店舗端末に提供する注文情報受付装置であって、
前記ユーザー端末から受け付けた注文情報に基づいて取得した該注文情報の決済に用いるユーザーのクレジットカードの実データに基づいて、該実データに対応するダミーデータを取得するダミーデータ取得手段と、
前記ダミーデータ取得手段により取得したダミーデータを前記注文情報の決済に用いるクレジットカードのデータとして、当該注文情報を処理する店舗端末に送信する送信手段と、を含む注文情報受付装置で受け付けた前記注文情報に係るクレジットカード決済を処理するコンピュータを、
前記店舗端末から前記ダミーデータに基づくクレジットカード決済要求を受け付ける受付手段と、
前記注文情報受付装置と共有したクレジットカードの実データとダミーデータとを互いに変換する変換情報に従って、前記受け付けたダミーデータに対応する実データを取得する実データ取得手段と、
前記実データ取得手段により取得した実データに基づいて、前記受け付けたクレジットカード決済要求を処理する処理手段
として機能させるためのプログラムを記録した情報記録媒体。